(57)【要約】      （修正有）【課題】最小のキー入力によって、文字を入力できるようにした文字入力装置を提供する。【解決手段】入力後にドラッグされる方向を感知する入力キーが多数個配列されたキーパッド１０と、前記キーパッドに対応する多数個のキーテーブル、文字に対する音声テーブル及び入力された文字を保存するためのメモリ部と、音声信号をスピーカー５５を通して出力するための音声出力部と、前記キーパッドから入力された文字に対する音声信号を前記メモリ部に保存された前記音声テーブルから呼び出して前記音声出力部に出力するだけでなく、形成された文字を継続的に前記メモリ部に保存し、インターフェース部を通して外部機器とインターフェースされるようにする制御部と、前記制御部を作動させるための作動スイッチ２０と、前記制御部の作動状態を表示するための作動表示灯４０とを含んで文字入力装置を構成する。【選択図】図３
2009217823.tif 000002
【特許請求の範囲】
【請求項１】
入力後にドラッグされる方向を感知する入力キーが多数個配列されたキーパッドと、
入力後のドラッグ方向に沿って前記キーパッドに対応する多数個のキーテーブル、文字に対する音声テーブル及び入力された文字を保存するためのメモリ部と、
音声信号をスピーカーを通して出力するための音声出力部と、
前記キーパッドから入力されるキーの入力順序と入力後にドラッグされる方向に沿って前記メモリ部に保存された前記多数個のキーテーブルから音素を選択して文字を形成し、形成された文字に対する音声信号を前記メモリ部に保存された前記音声テーブルから呼び出して前記音声出力部に出力するだけでなく、形成された文字を継続的に前記メモリ部に保存し、インターフェース部を通して外部機器とインターフェースされるようにする制御部と、
前記制御部を作動させるための作動スイッチと、
前記制御部の作動状態を表示するための作動表示灯と、
を含んで構成されたことを特徴とする文字入力装置。
【請求項２】
前記キーパッドは、
中央に配置された第５キーと、
前記第５キーを中心に離隔配置された第２、４、６、８キーと、
前記第２、４、６、８キーを中心に外側に離隔配置された第１、３、７、９キーを含んで構成されたことを特徴とする請求項１に記載の文字入力装置。
【請求項３】
前記第２、４、６、８キーは前記第５キーを中心に菱形状に配置され、前記第１、３、７、９キーは四角形状に配置されることを特徴とする請求項２に記載の文字入力装置。
【請求項４】
前記第２キーは前記第５キーの上側に配置され、前記第８キーは前記第５キーの下側に配置され、前記第４キーは前記第５キーの左側に配置され、前記第６キーは前記第５キーの右側に配置され、前記第１キーは前記第５キーの左上側に配置され、前記第７キーは前記第５キーの左下側に配置され、前記第３キーは前記第５キーの右上側に配置され、前記第９キーは前記第５キーの右下側に配置されることを特徴とする請求項３に記載の文字入力装置。
【請求項５】
前記第１キー乃至第９キーには、
入力後にドラッグされる方向がない場合、ハングルの子音
2009217823.tif 000031
がそれぞれ対応し、ハングルの母音
2009217823.tif 000032
がそれぞれ対応し、
入力後にドラッグされる方向が右側に向かう場合、ハングルの子音
2009217823.tif 000033
がそれぞれ対応し、ハングルの母音
2009217823.tif 000034
がそれぞれ対応し、
入力後にドラッグされる方向が左側に向かう場合、ハングルの子音
2009217823.tif 000035
がそれぞれ対応し、ハングルの母音
2009217823.tif 000036
がそれぞれ対応し、
入力後にドラッグされる方向が上側に向かう場合、数字‘１’、‘２’、‘３’、‘４’、‘５’、‘６’、‘７’、‘８’、‘９’がそれぞれ対応することを特徴とする請求項２乃至４のうち何れか１項に記載の文字入力装置。
【請求項６】
前記第５キー対応した
2009217823.tif 000037
は、以後、入力後にドラッグされる方向なしに前記第９キーが入力される場合、数字‘０’に対応することを特徴とする請求項５に記載の文字入力装置。
【請求項７】
前記キーパッドを通して入力されるキーの入力順序によってハングルの子音と母音が交互に入力され、入力後にドラッグされる方向が下側に向かう場合、子音が終声で入力されることを特徴とする請求項１に記載の文字入力装置。
【請求項８】
前記形成された文字を削除する場合、削除される前記文字に対する音声信号を出力することを特徴とする請求項１に記載の文字入力装置。
【請求項９】
前記音声信号を出力するとき、ハングルの母音が入力される場合には、形成された文字に対する音声信号を出力し、以後、終声が入力される場合には、母音と終声による音声信号のみを出力することを特徴とする請求項１に記載の文字入力装置。
【請求項１０】
入力後にドラッグされる方向がない場合、一度目に入力されるとき、前記第１キー乃至第９キーには、かな５０音図テーブルの清音行を選択するための‘ま’、‘な’、‘空欄’、‘か’、‘あ’、‘た’、‘ら’、‘さ’、‘  。’がそれぞれ対応し、二度目に入力されるとき、前記第２、４、５、６、８キーには、前記かな５０音図テーブルの段を選択するための‘お’、‘あ’、‘い’、‘え’、‘う’がそれぞれ対応し、
入力後にドラッグされる方向が右側に向かう場合、一度目に入力されるとき、前記第１キー乃至第９キーには、前記かな５０音図テーブルの濁音と半濁音行を選択するための‘ば’、‘解制’、‘改行’、‘が’、‘は’、‘だ’、‘ぱ’、‘ざ’、‘、’がそれぞれ対応し、二度目に入力されるとき、前記第２、４、５、６、８キーには、前記かな５０音図テーブルの段を選択するための‘よ’、‘や’、‘を’、‘わ’、‘ゆ’がそれぞれ対応し、
入力後にドラッグされる方向が下側に向かう場合、前記第１キー乃至第９キーには、‘つ’、‘カタカナ’、‘１字削除’、‘漢字’、‘０’、‘数字’、‘ん’、‘英語’、‘−’がそれぞれ対応することを特徴とする請求項２乃至４のうち何れか１項に記載の文字入力装置。
【請求項１１】
前記数字入力が選択された後、ドラッグされる方向がない場合、前記第１キー乃至第９キーには、数字‘１’、‘２’、‘３’、‘４’、‘５’、‘６’、‘７’、‘８’、‘９’がそれぞれ対応することを特徴とする請求項１０に記載の文字入力装置。
【発明の詳細な説明】
【技術分野】
【０００１】
本発明は、文字入力装置に関するもので、より詳細には、入力後にドラッグされる方向を感知する入力キーが配列されたキーパッドと、入力ドラッグ方向に対応する多数個のテーブルを構成し、キーの入力順序と入力ドラッグ方向に沿ってテーブルが変わりながら文字が形成され、形成された文字が音声で出力されるようにすることで、最小のキー入力によって、入力される文字を見なくても簡便に文字を入力できるようにした文字入力装置に関するものである。
【背景技術】
【０００２】
最近、移動通信サービスが発展するにつれて、短文メッセージサービス、電子メール、チャットなどの文字送受信機能を行える多様な移動通信端末機が市販されている。このような移動通信端末機は、使用者が簡便に携帯できるように小型に製造されるべきであり、１個のキーに多数のハングル子母音を配置することでキーパッドを小型化した。
【０００３】
図１は、一般的な天地人のハングルキーパッドを示した図である。
【０００４】
図１に示すように、“天地人”というハングルキーパッドは、ハングルを入力するために、
2009217823.tif 000003
の３個のキー組み合わせでハングルの全ての母音を組み合わせるようにし、全てのハングルを筆記順にタイプして入力できるようにする点で、コンピュータ用標準ハングルキーボードとともに、新しいハングルキーパッドであるといえるが、従来の２ボル式、３ボル式標準キーボードに比べて文字入力効率が大いに低下するという問題点がある。
【０００５】
すなわち、１個のキーに
2009217823.tif 000004
などの多数個の子音が配置されるので、キー入力を繰り返すことで該当の子音を選択するようになり、その後、３個のキー組み合わせで母音を組み合わせることで一つの文字が完成されるので、一つの文字を形成するためにキー入力が多数回行われ、文字入力効率が低下するという問題点がある。
【発明の概要】
【発明が解決しようとする課題】
【０００６】
本発明は、上記のような問題点を解決するためになされたもので、その目的は、入力後にドラッグされる方向を感知する入力キーが配列されたキーパッドと、入力ドラッグ方向に対応する多数個のテーブルを構成し、キーの入力順序と入力ドラッグ方向に沿ってテーブルが変わりながら文字が形成され、形成された文字が音声で出力されるようにすることで、最小のキー入力によって、入力される文字を見なくても簡便に文字を入力できるようにした文字入力装置を提供することにある。
【課題を解決するための手段】
【０００７】
上記のような目的を達成するため本発明に係る文字入力装置は、入力後にドラッグされる方向を感知する入力キーが多数個配列されたキーパッドと、入力後のドラッグ方向に沿ってキーパッドに対応する多数個のキーテーブル、文字に対する音声テーブル及び入力された文字を保存するためのメモリ部と、音声信号をスピーカーを通して出力するための音声出力部と、キーパッドから入力されるキーの入力順序と入力後にドラッグされる方向に沿ってメモリ部に保存された多数個のキーテーブルから音素を選択して文字を形成し、形成された文字に対する音声信号をメモリ部に保存された音声テーブルから呼び出して音声出力部に出力するだけでなく、形成された文字を継続的にメモリ部に保存し、インターフェース部を通して外部機器とインターフェースされるようにする制御部と、制御部を作動させるための作動スイッチと、制御部の作動状態を表示するための作動表示灯とを含んで構成されたことを特徴とする。
【０００８】
本発明において、キーパッドは、中央に配置された第５キーと、第５キーを中心に離隔配置された第２、４、６、８キーと、第２、４、６、８キーを中心に外側に離隔配置された第１、３、７、９キーとを含んで構成されたことを特徴とする。
【０００９】
このとき、第２、４、６、８キーは第５キーを中心に菱形状に配置され、第１、３、７、９キーは四角形状に配置される。
【００１０】
そして、本発明において、第２キーは第５キーの上側に配置され、第８キーは第５キーの下側に配置され、第４キーは第５キーの左側に配置され、第６キーは第５キーの右側に配置され、第１キーは第５キーの左上側に配置され、第７キーは第５キーの左下側に配置され、第３キーは第５キーの右上側に配置され、第９キーは第５キーの右下側に配置されることを特徴とする。
【００１１】
本発明において、第１キー乃至第９キーには、入力後にドラッグされる方向がない場合、ハングルの子音
2009217823.tif 000005
がそれぞれ対応し、ハングルの母音
2009217823.tif 000006
がそれぞれ対応し、入力後にドラッグされる方向が右側に向かう場合、ハングルの子音
2009217823.tif 000007
がそれぞれ対応し、ハングルの母音
2009217823.tif 000008
がそれぞれ対応し、入力後にドラッグされる方向が左側に向かう場合、ハングルの子音
2009217823.tif 000009
がそれぞれ対応し、ハングルの母音
2009217823.tif 000010
がそれぞれ対応し、入力後にドラッグされる方向が上側に向かう場合、数字‘１’、‘２’、‘３’、‘４’、‘５’、‘６’、‘７’、‘８’、‘９’がそれぞれ対応することを特徴とする。
【００１２】
本発明において、第５キーに対応した
2009217823.tif 000011
は、以後、入力後にドラッグされる方向なしに第９キーが入力される場合、数字‘０’に対応することを特徴とする。
【００１３】
本発明は、キーパッドを通して入力されるキーの入力順序によってハングルの子音と母音が交互に入力され、入力後にドラッグされる方向が下側に向かう場合、子音が終声で入力されることを特徴とする。
【００１４】
本発明において、形成された文字を削除する場合、削除される文字に対する音声信号を出力することを特徴とする。
【００１５】
本発明において、音声信号を出力するとき、ハングルの母音が入力される場合には、形成された文字に対する音声信号を出力し、以後、終声が入力される場合には、母音と終声による音声信号のみを出力することを特徴とする。
【００１６】
本発明において、入力後にドラッグされる方向がない場合、一度目に入力されるとき、第１キー乃至第９キーには、かな５０音図テーブルの清音行を選択するための‘ま’、‘な’、‘空欄’、‘か’、‘あ’、‘た’、‘ら’、‘さ’、‘  。’がそれぞれ対応し、二度目に入力されるとき、第２、４、５、６、８キーには、かな５０音図テーブルの段を選択するための‘お’、‘あ’、‘い’、‘え’、‘う’がそれぞれ対応し、入力後にドラッグされる方向が右側に向かう場合、一度目に入力されるとき、第１キー乃至第９キーには、かな５０音図テーブルの濁音と半濁音行を選択するための‘ば’、‘解制’、‘改行’、‘が’、‘は’、‘だ’、‘ぱ’、‘ざ’、‘、’がそれぞれ対応し、二度目に入力されるとき、第２、４、５、６、８キーには、かな５０音図テーブルの段を選択するための‘よ’、‘や’、‘を’、‘わ’、‘ゆ’がそれぞれ対応し、入力後にドラッグされる方向が下側に向かう場合、第１キー乃至第９キーには、‘つ’、‘カタカナ’、‘１字削除’、‘漢字’、‘０’、‘数字’、‘ん’、‘英語’、‘−’がそれぞれ対応することを特徴とする。
【００１７】
このとき、数字入力が選択された後、ドラッグされる方向がない場合、第１キー乃至第９キーには、数字‘１’、‘２’、‘３’、‘４’、‘５’、‘６’、‘７’、‘８’、‘９’がそれぞれ対応することを特徴とする。
【発明の効果】
【００１８】
上記のように、本発明は、入力後にドラッグされる方向を感知する入力キーが配列されたキーパッドと、入力ドラッグ方向に対応する多数個のテーブルを構成し、キーの入力順序と入力ドラッグ方向に沿ってテーブルが変わりながら文字が形成され、形成された文字が音声で出力されるようにすることで、最小のキー入力によって、入力される文字を見なくても簡便に文字を入力できるという効果を有する。
【００１９】
また本発明は、少ない数の入力キーが配列されたキーパッドを通して、携帯しながら簡便に文字を入力して保存できるという効果を有する。
【００２０】
さらに本発明は、インターフェースを通して外部機器の入力装置として使用できるだけでなく、外部機器から保存された文書を呼び出せるという効果を有する。
【図面の簡単な説明】
【００２１】
【図１】一般的な天地人のハングルキーパッドを示した図である。
【図２】本発明の一実施例に係る文字入力装置を示したブロック構成図である。
【図３】本発明の一実施例に係る文字入力装置を示した実施例である。
【図４】本発明の一実施例に係る文字入力装置のキーパッドに対応するハングルに対するキーテーブルを示した図である。
【図５】本発明の一実施例に係る文字入力装置を通してハングル文字を形成する過程を示した図である。
【図６】本発明の一実施例に係る文字入力装置を通してハングル文字を形成する過程を示した図である。
【図７】本発明の一実施例に係る文字入力装置を通してハングル文字を形成する過程を示した図である。
【図８】本発明の一実施例に係る文字入力装置を通してハングル文字を形成する過程を示した図である。
【図９】本発明の他の実施例に係る文字入力装置のキーパッドに対応するかなに対するキーテーブルを示した図である。
【図１０】本発明の他の実施例に係る文字入力装置を通して日本語のかな文字を形成する過程を示した図である。
【図１１】本発明の他の実施例に係る文字入力装置を通して日本語のかな文字を形成する過程を示した図である。
【図１２】本発明の他の実施例に係る文字入力装置を通して日本語のかな文字を形成する過程を示した図である。
【図１３】本発明の他の実施例に係る文字入力装置を通して日本語のかな文字を形成する過程を示した図である。
【発明を実施するための形態】
【００２２】
以下、本発明の好適な実施例を添付された図面を参照して説明する。ここで、従来の構成と同一の部分には同一の符号及び名称を使用する。また、本実施例は、本発明の権利範囲を限定するものでなく、例示として提示されたものに過ぎず、当分野で通常の知識を有する者であれば、本発明の技術的思想内で多くの変形が可能であろう。
【００２３】
図２は、本発明の一実施例に係る文字入力装置を示したブロック構成図で、図３は、本発明の一実施例に係る文字入力装置を示した実施例である。
【００２４】
図２に示すように、本発明の一実施例に係る文字入力装置は、入力後にドラッグされる方向を感知する入力キーが多数個配列されたキーパッド１０と、入力後のドラッグ方向に沿ってキーパッド１０に対応する多数個のキーテーブル、文字に対する音声テーブル及び入力文字を保存するためのメモリ部７０と、音声信号をスピーカー５５を通して出力するための音声出力部５０と、キーパッド１０から入力されるキーの入力順序と入力後にドラッグされる方向に沿ってメモリ部７０に保存された多数個のキーテーブルから音素を選択して文字を形成し、形成された文字を、メモリ部７０に保存された音声テーブルから音声信号を呼び出すことで音声出力部５０に出力するだけでなく、形成された文字を継続的にメモリ部７０に保存し、インターフェース部６０を通して外部機器（図示せず）とインターフェースされるようにする制御部３０と、制御部３０を作動させるための作動スイッチ２０と、制御部３０の作動状態を表示するための作動表示灯４０とを含んで構成される。
【００２５】
このとき、作動スイッチ２０をスライド形式で構成し、これをオン（Ｏｎ）方向に移動させることで、文字入力装置を動作させるとともに、スピーカー５５に出力されるボリュームを大きくする。また、作動スイッチ２０をオフ（Ｏｆｆ）方向に移動させることで、スピーカー５５に出力されるボリュームを小さくするだけでなく、オフさせることもできる。
【００２６】
また、キーパッド１０は、図３に示すように、中央に配置された第５キー５と、第５キー５を中心に離隔配置された第２、４、６、８キー２，４，６，８と、第２、４、６、８キー２，４，６，８を中心に外側に離隔配置された第１、３、７、９キー１，３，７，９とを含んで構成される。
【００２７】
このとき、第２、４、６、８キー２，４，６，８は第５キー５を中心に菱形状に配置され、第１、３、７、９キー１，３，７，９は四角形状に配置される。
【００２８】
そして、第２キー２は第５キー５の上側に配置され、第８キー８は第５キー５の下側に配置され、第４キー４は第５キー５の左側に配置され、第６キー６は第５キー５の右側に配置され、第１キー１は第５キー５の左上側に配置され、第７キー７は第５キー５の左下側に配置され、第３キー３は第５キー５の右上側に配置され、第９キー９は第５キー５の右下側に配置される。
【００２９】
図４は、本発明の一実施例に係る文字入力装置のキーパッドに対応するハングルに対するキーテーブルを示した図である。
【００３０】
図４に示すように、キーパッド１０の第１キー乃至第９キー１〜９を入力した後、ドラッグされる方向に沿ってそれぞれのキーテーブルが対応する。
【００３１】
すなわち、（Ａ）に示すように、入力後にドラッグされる方向がない場合、第１キー乃至第９キー１〜９には、ハングルの子音
2009217823.tif 000012
がそれぞれ対応し、ハングルの母音
2009217823.tif 000013
がそれぞれ対応する。このとき、‘ｂ’は空欄を意味する。
【００３２】
そして、（Ｂ）に示すように、入力後にドラッグされる方向が右側に向かう場合、第１キー乃至第９キー１〜９には、ハングルの子音
2009217823.tif 000014
がそれぞれ対応し、ハングルの母音
2009217823.tif 000015
がそれぞれ対応する。このとき、‘ｅ’は改行やエンター（ｅｎｔｅｒ）を意味する。
【００３３】
そして、（Ｃ）に示すように、入力後にドラッグされる方向が左側に向かう場合、第１キー乃至第９キー１〜９には、ハングルの子音
2009217823.tif 000016
がそれぞれ対応し、ハングルの母音
2009217823.tif 000017
がそれぞれ対応する。このとき、‘ｄ’は１字削除を意味する。
【００３４】
また、（Ｄ）に示すように、入力後にドラッグされる方向が上側に向かう場合、第１キー乃至第９キー１〜９には、数字‘１’、‘２’、‘３’、‘４’、‘５’、‘６’、‘７’、‘８’、‘９’がそれぞれ対応する。
【００３５】
一方、（Ａ）に示した第５キー５に対応するハングルの子音
2009217823.tif 000018
は、以後、入力後にドラッグされる方向なしに第９キー９が入力される場合、数字‘０’にも対応するようになる。
【００３６】
上記のように、該当のキーとハングルの音素対応は、必要によって変更されることもあり、外来語を表記するために外来語に対応するキーテーブルを形成することもできる。
【００３７】
したがって、上記のようにキーパッド１０を通して入力されるキーの入力順序によってキーパッド１０に対応するように定義されたキーテーブルの子音と母音が交互に入力され、入力後にドラッグされる方向が下側に向かう場合、子音が終声で入力され、一つの音節を形成するようになる。
【００３８】
このように形成されるハングルの文字においては、文字の形成時ごとにメモリ部７０に保存された音声テーブルから該当の音声信号を呼び出し、これを音声出力部５０に出力することで、形成された文字に対する音声を聞きながら文字を入力できるようになる。
【００３９】
このとき、終声が入力される場合には、初声の音価を除いた文字の音声信号を呼び出し、これを音声出力部５０に出力するようになる。
【００４０】
すなわち、音声信号を出力するとき、母音が入力される場合には、入力された子音と母音で形成された文字に対する音声信号を出力し、以後、終声が入力される場合には、母音と終声による音声信号のみを出力するようになる。
【００４１】
例えば、ハングルの
2009217823.tif 000019
を入力する場合、文字の形成時ごとに音声信号が出力されるので、文字が
2009217823.tif 000020
の順に形成される。このとき、文字が形成された
2009217823.tif 000021
の音声信号と
2009217823.tif 000022
の音声信号が全て出力される場合、
2009217823.tif 000023
と出力されるので、音声を聞きながら入力するときに不便さを感じるようになる。
【００４２】
しかしながら、子音と母音が入力される場合、形成された文字に対する音声信号を出力した後、終声が入力されるとき、初声の音価をなくした後、母音と終声だけで構成された文字による音声信号を出力すると、音声信号が
2009217823.tif 000024
と出力されるので、文字の形成時ごとに音声信号が出力されるとしても、音声を聞きながら入力するときに不便さを感じることなく、便利に入力できるようになる。
【００４３】
このとき、形成された文字を削除する場合、削除される文字に対する音声信号を出力することで、削除された文字を確認できるようになる。
【００４４】
以下、上記のように構成された文字入力装置を通してハングルを入力する過程を説明する。
【００４５】
まず、文字入力装置がハングルを入力できるように設定された場合、文字入力装置の作動スイッチ２０を動作させると、作動表示灯４０が点灯されながら、キーパッド１０を通して入力されるキーの順序とドラッグされる方向を感知するようになる。
【００４６】
このように感知されたキーの順序とドラッグされる方向に沿ってメモリ部７０に保存されたキーテーブルからハングルの子音と母音を読み出して文字を形成し、形成された文字に対する音声信号を音声テーブルから読み出して音声出力部５０に出力することで、文字が入力される瞬間ごとに音声信号を聞きながら簡便に文字を入力できるようになる。
【００４７】
表１には、上記のように構成された文字入力装置を通して該当の文字を入力する過程を示した。
【００４８】
【表１】
2009217823.tif 000025
【００４９】
このとき、数字は、該当のキーを入力した場合を表し、→は、該当のキーを入力した後、右側方向にドラッグした場合を表し、←は、該当のキーを入力した後、左側方向にドラッグした場合を表し、↑は、該当のキーを入力した後、上側方向にドラッグした場合を表し、↓は、該当のキーを入力した後、下側方向にドラッグした場合を表し、→↓は、該当のキーを入力した後、右側方向にドラッグしてから下側方向にドラッグした場合を表し、←↓は、該当のキーを入力した後、左側方向にドラッグしてから下側方向にドラッグした場合を表す。
【００５０】
図５乃至図８は、本発明の一実施例に係る文字入力装置を通して文字を形成する過程を示した図である。
【００５１】
すなわち、図５は、表１に示したハングルの
2009217823.tif 000026
を入力する過程を示した図で、入力過程に示した順序によってキーを入力した後、ドラッグする過程を詳細に示した。
【００５２】
また、図６は、ハングルの
2009217823.tif 000027
を入力する過程を示し、図７は、ハングルの
2009217823.tif 000028
を入力する過程を示し、図８は、ハングルの
2009217823.tif 000029
を入力する過程を示した。
【００５３】
一方、上記のような文字入力装置を通して日本語を入力するためには、日本語のかな文字を表記するための対応するキーテーブルを形成し、これを通してかなを入力するのに使用することができる。
【００５４】
図９は、本発明の他の実施例に係る文字入力装置のキーパッドに対応するかなに対するキーテーブルを示した図である。
【００５５】
図９に示すように、キーパッド１０の第１キー乃至第９キー１〜９を入力した後、ドラッグされる方向に沿ってそれぞれのキーテーブルが対応する。
【００５６】
すなわち、（Ａ）に示すように、キー入力後にドラッグされる方向がない場合、一度目に入力されるとき、第１キー乃至第９キー１〜９には、かな５０音図テーブルの清音行を選択するための‘ま’、‘な’、‘ｂ’、‘か’、‘あ’、‘た’、‘ら’、‘さ’、‘  。’がそれぞれ対応し、二度目に入力されるとき、第２、４、５、６、８キー２，４，５，６，８には、かな５０音図テーブルの段を選択するための‘お’、‘あ’、‘い’、‘え’、‘う’がそれぞれ対応する。このとき、‘ｂ’は空欄を意味し、その他のキーには何らの文字も対応しない。
【００５７】
そして、（Ｂ）に示すように、キー入力後にドラッグされる方向が右側に向かう場合、一度目に入力されるとき、第１キー乃至第９キー１〜９には、かな５０音図テーブルの濁音と半濁音行を選択するための‘ば’、‘☆’、‘ｅ’、‘が’、‘は’、‘だ’、‘ぱ’、‘ざ’、‘  、’がそれぞれ対応し、二度目に入力されるとき、第２、４、５、６、８キー２，４，５，６，８には、かな５０音図テーブルの段を選択するための‘よ’、‘や’、‘を’、‘わ’、‘ゆ’がそれぞれ対応する。このとき、‘☆’は、カタカナ入力を選択したり、漢字、英語、数字などを選択した場合、これを解除し、ひらがな入力に転換されるキーを意味し、‘ｅ’は、改行やエンター（ｅｎｔｅｒ）を意味する。
【００５８】
そして、（Ｃ）に示すように、キー入力後にドラッグされる方向が下側に向かう場合、第１キー乃至第９キー１〜９には、‘促音（っ）’、‘Ａ’、‘ｄ’、‘Ｂ’、‘０’、‘Ｄ’、‘ん’、‘Ｃ’、‘−’がそれぞれ対応する。このとき、‘Ａ’、‘Ｂ’、‘Ｃ’、‘Ｄ’は、それぞれカタカナ入力、漢字入力、英語入力、数字入力を選択するためのキーを意味し、‘ｄ’は、１字削除を意味する。
【００５９】
また、（Ｄ）は、数字がそれぞれ対応した状態で、第６キーを入力した後、ドラッグされる方向が下側に向かい、数字入力が選択されると、ドラッグされる方向がない場合、第１キー乃至第９キー１〜９には、数字‘１’、‘２’、‘３’、‘４’、‘５’、‘６’、‘７’、‘８’、‘９’がそれぞれ対応する。
【００６０】
このとき、‘０’は、（Ｃ）に示すように、第５キー５を入力した後、ドラッグされる方向が下側に向かう場合に入力される。
【００６１】
したがって、上記のように、キーパッド１０を通して入力されるキーの入力順序によってキーパッド１０に対応するように定義されたキーテーブルを通して、先に入力されるキーを通して行が選択され、以後に入力されるキーを通して段が選択されることで、選択された文字を形成するようになる。
【００６２】
このように形成されるかな文字においては、文字の形成時ごとにメモリ部７０に保存された音声テーブルから該当の音声信号を呼び出し、これを音声出力部５０に出力することで、形成された文字に対する音声を聞きながら文字を入力できるようになる。
【００６３】
以下、上記のように構成された文字入力装置を通して日本語を入力する過程を説明する。
【００６４】
文字入力装置が日本語を入力できるように設定された場合、文字入力装置の作動スイッチ２０を動作させると、作動表示灯４０が点灯されながら、キーパッド１０を通して入力されるキーの順序とドラッグされる方向を感知するようになる。
【００６５】
このように感知されたキーの順序とドラッグされる方向に沿ってメモリ部７０に保存されたキーテーブルから行音と段音を読み出して文字を形成し、形成された文字に対する音声信号を音声テーブルから読み出して音声出力部５０に出力することで、文字が入力される瞬間ごとに音声信号を聞きながら簡便に文字を入力できるようになる。
【００６６】
表２には、このように構成された文字入力装置を通して該当の文字を入力する過程を示した。
【００６７】
【表２】
2009217823.tif 000030
【００６８】
このとき、数字は、該当のキーを入力した場合を表し、→は、該当のキーを入力した後、右側方向にドラッグした場合を表し、↓は、該当のキーを入力した後、下側方向にドラッグした場合を表す。
【００６９】
図１０乃至図１３は、本発明の一実施例に係る文字入力装置を通して文字を形成する過程を示した図である。
【００７０】
すなわち、  図１０乃至図１３は、表２に示した単語の入力過程を示しており、図１０は、‘文字入力（もじにゅうりょく）’を入力する過程を示した図で、入力過程に示した順序によってキーを入力した後、ドラッグする過程を詳細に示した。
【００７１】
また、図１１は、‘あさ’を入力する過程を示し、図１２は、‘こんにちは。’を入力する過程を示し、図１３は、‘ありがとう’を入力する過程を示した。
【００７２】
上記のような文字入力装置は、インターフェース部６０を通して外部機器（図示せず）と連結されるので、外部機器から保存された文字を読み出せるだけでなく、外部機器の入力手段として使用することもできる。
【符号の説明】
【００７３】
１０  キーパッド
２０  作動スイッチ
３０  制御部
４０  作動表示灯
５０  音声出力部
５５  スピーカー
６０  インターフェース部
７０  メモリ部
【図１】
2009217823.tif 000038
【図２】
2009217823.tif 000039
【図３】
2009217823.tif 000040
【図４】
2009217823.tif 000041
【図５】
2009217823.tif 000042
【図６】
2009217823.tif 000043
【図７】
2009217823.tif 000044
【図８】
2009217823.tif 000045
【図９】
2009217823.tif 000046
【図１０】
2009217823.tif 000047
【図１１】
2009217823.tif 000048
【図１２】
2009217823.tif 000049
【図１３】
2009217823.tif 000050